(57)【要約】      （修正有）【課題】どのような健康管理を実践すればよいか即座に理解できるようにする健康管理システム及びプログラムを提供する。【解決手段】健康管理システム（管理サーバ）は、属性分類部により分類された属性に対応するオブジェクトを示すオブジェクト情報領域と、分類に用いられたユーザの遺伝子タイプを示す遺伝子タイプ情報領域と、ユーザの遺伝子タイプおよび他の遺伝子タイプを含む全ての遺伝子タイプそれぞれの発現頻度を示す発現頻度情報領域と、分類された属性に応じた推奨行動を二者択一で示す二者択一情報領域と、を含む画面を表示させる表示部、を備える。【選択図】図３
2020086926.tif 000002
【特許請求の範囲】
【請求項１】
ユーザの遺伝子タイプにより分類された属性に基づいて、ユーザに健康管理情報を提供する健康管理システムであって、
前記分類された属性に対応するオブジェクトを示すオブジェクト領域と、
前記分類に用いられたユーザの遺伝子タイプを示す遺伝子タイプ領域と、
前記ユーザの遺伝子タイプおよび他の遺伝子タイプを含む全ての遺伝子タイプそれぞれの発現頻度を示す発現頻度領域と、
前記分類された属性に応じた推奨行動を二者択一で示す二者択一領域と、
を共通の画面に表示させる表示部、
を備えることを特徴とする健康管理システム。
【請求項２】
前記表示部は、健康管理に関する質問および回答を示すＱ＆Ａ領域を前記画面に表示させ、
前記Ｑ＆Ａ領域には、前記分類された属性に応じた質問および回答が示される、
ことを特徴する請求項１に記載の健康管理システム。
【請求項３】
前記表示部は、前記ユーザに推奨するサプリメントを示すサプリメント領域を前記画面に表示させ、
前記サプリメント領域には、前記分類された属性に応じたサプリメントが示される、
ことを特徴する請求項１又は２に記載の健康管理システム。
【請求項４】
前記サプリメント領域には、前記ユーザの生活習慣情報に応じたサプリメントが示される、
ことを特徴する請求項３に記載の健康管理システム。
【請求項５】
ユーザの遺伝子タイプにより分類された属性に基づいて、ユーザに健康管理情報を提供するプログラムであって、
コンピュータを、
前記分類された属性に対応するオブジェクトを示すオブジェクト領域と、
前記分類に用いられたユーザの遺伝子タイプを示す遺伝子タイプ領域と、
前記ユーザの遺伝子タイプおよび他の遺伝子タイプを含む全ての遺伝子タイプそれぞれの発現頻度を示す発現頻度領域と、
前記分類された属性に応じた推奨行動を二者択一で示す二者択一領域と、
を含む画面を表示させる表示手段、
として機能させることを特徴とするプログラム。
【発明の詳細な説明】
【技術分野】
【０００１】
本発明は、健康管理システム及びプログラムに関する。
【背景技術】
【０００２】
従来から、ユーザに対して、遺伝子検査の結果とともに健康に関する情報を提供するサービスが知られている。たとえば特許文献１では、ユーザに対して、統計に基づく疾患の発症リスクを示す画面を提供する技術が開示されている。
【先行技術文献】
【特許文献】
【０００３】
【特許文献１】特開２０１５−０４３７７０号公報
【発明の概要】
【発明が解決しようとする課題】
【０００４】
しかしながら、特許文献１に記載の技術では、ユーザは疾患の発症リスクを示す画面を見ても、どのような健康管理を実践すればよいか即座に理解できないという問題があった。
【０００５】
本発明はこのような背景を鑑みてなされたものであり、ユーザがどのような健康管理を実践すればよいか即座に理解できる技術を提供することを目的とする。
【課題を解決するための手段】
【０００６】
上記課題を解決するための本発明の主たる発明は、ユーザの遺伝子タイプにより分類された属性に基づいて、ユーザに健康管理情報を提供する健康管理システムであって、前記分類された属性に対応するオブジェクトを示すオブジェクト領域と、前記分類に用いられたユーザの遺伝子タイプを示す遺伝子タイプ領域と、前記ユーザの遺伝子タイプおよび他の遺伝子タイプを含む全ての遺伝子タイプそれぞれの発現頻度を示す発現頻度領域と、前記分類された属性に応じた推奨行動を二者択一で示す二者択一領域と、を共通の画面に表示させる表示部、を備えることとする。
【０００７】
その他本願が開示する課題やその解決方法については、発明の実施形態の欄及び図面により明らかにされる。
【発明の効果】
【０００８】
本発明によれば、ユーザはどのような健康管理を実践すればよいか即座に理解できる。
【図面の簡単な説明】
【０００９】
【図１】本発明の一実施形態に係る健康管理システムの全体構成例を示す図である。
【図２】管理サーバ１のハードウェア構成例を示す図である。
【図３】管理サーバ１のソフトウェア構成例を示す図である。
【図４】遺伝子タイプ情報記憶部１５１に記憶される遺伝子タイプ情報の構成例を示す図である。
【図５】発現頻度情報記憶部１５２に記憶される発現頻度情報の構成例を示す図である。
【図６】サプリメント情報記憶部１５６に記憶されるサプリメント情報の構成例を示す図である。
【図７】生活習慣情報記憶部１５７に記憶される生活習慣情報の構成例を示す図である。
【図８】管理サーバ１により実行される処理について説明する図である。
【図９】オブジェクト領域に表示される画面の一例を示す図である。
【図１０】遺伝子タイプ領域の第一領域に表示される画面の一例を示す図である。
【図１１】発現頻度領域の第一領域に表示される画面の一例を示す図である。
【図１２】二者択一領域に表示される画面の一例を示す図である。
【図１３】Ｑ＆Ａ領域に表示される画面の一例を示す図である。
【図１４】サプリメント領域の第一領域に表示される画面の一例を示す図である。
【発明を実施するための形態】
【００１０】
本発明の一実施形態の内容を列記して説明する。本発明の一実施形態による健康管理システム及びプログラムは、以下のような構成を備える。
【００１１】
［項目１］
ユーザの遺伝子タイプにより分類された属性に基づいて、ユーザに健康管理情報を提供する健康管理システムであって、
前記分類された属性に対応するオブジェクトを示すオブジェクト領域と、
前記分類に用いられたユーザの遺伝子タイプを示す遺伝子タイプ領域と、
前記ユーザの遺伝子タイプおよび他の遺伝子タイプを含む全ての遺伝子タイプそれぞれの発現頻度を示す発現頻度領域と、
前記分類された属性に応じた推奨行動を二者択一で示す二者択一領域と、
を含む画面を表示させる表示部、
を備えることを特徴とする健康管理システム。
［項目２］
前記表示部は、健康管理に関する質問および回答を示すＱ＆Ａ領域を前記画面に表示させ、
前記Ｑ＆Ａ領域には、前記分類された属性に応じた質問および回答が示される、
ことを特徴する項目１に記載の健康管理システム。
［項目３］
前記表示部は、前記ユーザに推奨するサプリメントを示すサプリメント領域を前記画面に表示させ、
前記サプリメント領域には、前記分類された属性に応じたサプリメントが示される、
ことを特徴する項目１又は２に記載の健康管理システム。
［項目４］
前記サプリメント領域には、前記ユーザの生活習慣情報に応じたサプリメントが示される、
ことを特徴する項目３に記載の健康管理システム。
［項目５］
ユーザの遺伝子タイプにより分類された属性に基づいて、ユーザに健康管理情報を提供するプログラムであって、
コンピュータを、
前記分類された属性に対応するオブジェクトを示すオブジェクト領域と、
前記分類に用いられたユーザの遺伝子タイプを示す遺伝子タイプ領域と、
前記ユーザの遺伝子タイプおよび他の遺伝子タイプを含む全ての遺伝子タイプそれぞれの発現頻度を示す発現頻度領域と、
前記分類された属性に応じた推奨行動を二者択一で示す二者択一領域と、
を含む画面を表示させる表示手段、
として機能させることを特徴とするプログラム。
【００１２】
図１は、本発明の一実施形態に係る健康管理システムの全体構成例を示す図である。本実施形態の健康管理システムは、管理サーバ１を含んで構成される。管理サーバ１は、一又は複数のユーザ端末２と通信ネットワーク３を介して通信可能に接続される。通信ネットワーク３は、たとえばインターネットであり、公衆電話回線網や携帯電話回線網、無線通信路、イーサネット（登録商標）などにより構築される。
【００１３】
本実施形態の健康管理システムは、ユーザに対して遺伝子検査結果および健康管理情報を提供しようとするものである。本実施形態の健康管理システムは、遺伝子検査で分析されたユーザの肥満遺伝子を形成する遺伝子タイプにより属性（リスクタイプ）を分類し、その属性に応じて健康管理情報を提供する。例えば、肥満遺伝子を形成する遺伝子として、「糖質内臓脂肪」、「脂肪の熱変換」、「脂肪分解・たんぱく質合成」等が知られており、これらの遺伝子の遺伝子タイプによりユーザの属性が分類される。ここで、「糖質内臓脂肪」の遺伝子には、ＡＡ、ＡＧ、ＧＧの遺伝子タイプがあり、遺伝子タイプに応じて糖質による内臓脂肪のつきやすさが異なるとされている。「脂肪の熱変換」の遺伝子には、ＡＡ、ＡＧ、ＧＧの遺伝子タイプがあり、遺伝子タイプに応じて脂肪を熱に変える力が異なるとされている。「脂肪分解たんぱく質合成」の遺伝子には、ＣＣ、ＣＧ、ＧＧの遺伝子タイプがあり、遺伝子タイプに応じて脂肪分解力やたんぱく質の合成力が異なるとされている。本実施形態では、「糖質内臓脂肪」、「脂肪の熱変換」、「脂肪分解・たんぱく質合成」の各遺伝子タイプの組み合わせに応じて、ユーザを８種類の属性のいずれかに分類する。この８種類の属性としては、例えば、低リスクタイプ（属性１）、糖質リスクタイプ（属性２）、脂肪リスクタイプ（属性３）、タンパク質リスクタイプ（属性４）、糖質・脂肪リスクタイプ（属性５）、糖質・タンパク質リスクタイプ（属性６）、脂肪・タンパク質リスクタイプ（属性７）、糖質・脂肪・タンパク質リスクタイプ（属性８）がある。
【００１４】
管理サーバ１は、ユーザに対して遺伝子検査結果と健康管理情報を提供するコンピュータである。管理サーバ１は、たとえば、パーソナルコンピュータやワークステーション、クラウドコンピューティングによる仮想的なコンピュータである。管理サーバ１は、遺伝子検査結果と健康管理情報を表示する要求をユーザ端末２から受け付け、その要求に応じて、遺伝子検査結果と健康管理情報をユーザ端末２に送信する。管理サーバ１は、いわゆるＷｅｂアプリケーションとしてこれらの機能を実行することを想定する。
【００１５】
ユーザ端末２は、ユーザが操作するたとえば携帯電話、スマートフォン、タブレットコンピュータ、パーソナルコンピュータなどのコンピュータである。ユーザは、ユーザ端末２を操作して管理サーバ１にアクセスし、ユーザ端末２の画面に自らの遺伝子検査結果と健康管理情報を表示させることができる。
【００１６】
図２は、管理サーバ１のハードウェア構成例を示す図である。管理サーバ１は、少なくとも、制御部１０、メモリ１１、ストレージ１２、送受信部１３、入出力部１４等を備え、これらはバス１５を通じて相互に電気的に接続される。制御部１０は、管理サーバ１全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。ストレージ１２は、アプリケーション・プログラム等の各種プログラムを格納する。各処理に用いられるデータを格納したデータベース（図示せず）がストレージ１２に構築されていてもよい。送受信部１３は、管理サーバ１を通信ネットワーク３に接続する。なお、送受信部１３は、Ｂｌｕｅｔｏｏｔｈ（登録商標）やＷｉ−Ｆｉ（登録商標）などの近距離通信インターフェースを備えていてもよい。入出力部１４は、キーボード・マウス類等の情報入力機器、及びディスプレイ等の出力機器である。バス１５は、上記各要素に共通に接続され、例えば、アドレス信号、データ信号及び各種制御信号を伝達する。
【００１７】
図３は、管理サーバ１のソフトウェア構成例を示す図である。管理サーバ１は、属性分類部１１１、表示部１１２、遺伝子タイプ情報記憶部１５１、発現頻度情報記憶部１５２、オブジェクト情報記憶部１５３、二者択一情報記憶部１５４、Ｑ＆Ａ情報記憶部１５５、サプリメント情報記憶部１５６、および生活習慣情報記憶部１５７を備える。
【００１８】
なお、属性分類部１１１、および表示部１１２は、管理サーバ１が備える制御部１０がストレージ１２に記憶されているプログラムをメモリ１１に読み出して実行することにより実現される。また、遺伝子タイプ情報記憶部１５１、発現頻度情報記憶部１５２、オブジェクト情報記憶部１５３、二者択一情報記憶部１５４、Ｑ＆Ａ情報記憶部１５５、サプリメント情報記憶部１５６、および生活習慣情報記憶部１５７は、メモリ１１およびストレージ１２の少なくともいずれかにより提供される記憶領域の一部として実現される。
【００１９】
遺伝子タイプ情報記憶部１５１は、ユーザの遺伝子タイプに関する情報（以下、遺伝子タイプ情報という。）を記憶する。図４は、遺伝子タイプ情報記憶部１５１に記憶される遺伝子タイプ情報の構成例を示す図である。同図に示すように、遺伝子タイプ情報には、ユーザ情報（ユーザＩＤ）に対応付けて、肥満遺伝子を形成する遺伝子である「糖質内臓脂肪」、「脂肪の熱変換」、「脂肪分解・たんぱく質合成」の各遺伝子タイプが含まれる。
【００２０】
発現頻度情報記憶部１５２は、遺伝子タイプの発現頻度に関する情報（以下、発現頻度情報という。）を記憶する。図５は、発現頻度情報記憶部１５２に記憶される発現頻度情報の構成例を示す図である。同図に示すように、発現頻度情報には、内臓脂肪情報、熱変換情報、分解・合成情報が含まれる。内臓脂肪情報には、「糖質内臓脂肪」の発現頻度として全ユーザの遺伝子タイプの分布（人数）と割合（％）が含まれる。熱変換情報には、「脂肪の熱変換」の発現頻度として全ユーザの遺伝子タイプの分布（人数）と割合（％）が含まれる。分解・合成情報には、「脂肪分解・たんぱく質合成」の発現頻度として全ユーザの遺伝子タイプの分布（人数）と割合（％）が含まれる。
【００２１】
オブジェクト情報記憶部１５３は、ユーザに提示するオブジェクト画像に関する情報（以下、オブジェクト情報という。）を記憶する。オブジェクト情報には、各属性（リスクタイプ）に対応付けて、オブジェクト画像（画像情報）がそれぞれ含まれる。例えば、低リスクタイプ（属性１）には、健康的なキャラクタと低リスクタイプに関連するコメントを示す画像などが対応付けられている。
【００２２】
二者択一情報記憶部１５４は、ユーザに提示する二者択一画像に関する情報（以下、二者択一情報という。）を記憶する。二者択一情報には、各属性（リスクタイプ）に対応付けて、一又は複数の二者択一画像（画像情報）がそれぞれ含まれる。例えば、糖質リスクタイプ（属性２）には、日本酒に「×」、ウィスキーに「○」が付けられた二者択一（推奨行動）と糖質リスクタイプに関するコメントを示す画像が対応付けられている。この二者択一（推奨行動）に関する画像では、日本酒は糖質が多く、ウィスキーは糖質が少ないため、いずれかを摂取するのであればウィスキーを推奨することが示されている。
【００２３】
Ｑ＆Ａ情報記憶部１５５は、ユーザに提示するＱ＆Ａ画像に関する情報（以下、Ｑ＆Ａ情報という。）を記憶する。Ｑ＆Ａ情報には、各属性（リスクタイプ）に対応付けて、一又は複数のＱ＆Ａ画像（画像情報）がそれぞれ含まれる。例えば、脂肪リスクタイプ（属性３）には、「食べ物を選ぶ際に気をつけることはありますか？」という質問と、その質問に対して「脂が控えめでたんぱく質が多いものを食べることが大事！」という回答が示される画像が対応付けられる。なお、属性に対応付けられているＱ＆Ａは、その属性のユーザから頻出される質問とその回答（ＦＡＱ）であってもよい。また、属性に対応付けられているＱ＆Ａには、その属性で不足しやすい又は過多になりやすい栄養素を多く含む食材のランキング等を示してもよい。
【００２４】
サプリメント情報記憶部１５６は、サプリメントに関する情報（以下、サプリメント情報という。）を記憶する。図６は、サプリメント情報記憶部１５６に記憶されるサプリメント情報の構成例を示す図である。同図に示すように、サプリメント情報には、サプリメント詳細情報、および属性情報が含まれる。サプリメント詳細情報には、サプリメント名に対応付けて、解決または改善し得る悩み、含有される栄養素、およびユーザに推奨（提示）するためのサプリメント画像が含まれる。属性情報には、各属性（リスクタイプ）に対応付けて、健康管理に有効とされるサプリメント名が含まれる。
【００２５】
生活習慣情報記憶部１５７は、生活習慣に関する情報（以下、生活習慣情報という。）を記憶する。図７は、生活習慣情報記憶部１５７に記憶される生活習慣情報の構成例を示す図である。生活習慣情報には、ユーザ情報（ユーザＩＤ）に対応付けて、悩み、栄養摂取情報が含まれる。悩みには、ユーザが健康に関して悩んでいる項目が含まれる。栄養摂取情報は、ユーザが１日に摂取している栄養バランスや栄養素を特定する情報であり、たんぱく質、脂質、および炭水化物の摂取割合や、各種ビタミン、カルシウム、鉄分等の摂取量が含まれる。これらの情報によって、ユーザに不足している栄養素を特定することができる。なお、この生活習慣情報は、ユーザが遺伝子検査キットとともに送付（回答）したアンケート用紙に記載された内容に基づく情報でもよいし、ユーザ端末２から送信されたＷｅｂアンケートの回答に基づく情報であってもよい。
【００２６】
属性分類部１１１は、ユーザの遺伝子タイプからユーザの属性を分類する。本実施形態では、属性分類部１１１は、肥満遺伝子を形成する遺伝子である「糖質内臓脂肪」、「脂肪の熱変換」、「脂肪分解・たんぱく質合成」の各遺伝子タイプの組み合わせにより、ユーザの属性を属性１ないし属性８のいずれか１つに分類する。
【００２７】
表示部１１２は、ユーザに遺伝子検査結果と健康管理情報を提供する画像を生成し、生成した画像をユーザ端末２に送信して、共通の画面（スクロール可能に構成された画面であってもよい）に表示させる。本実施形態では、表示部１１２は、オブジェクト情報、遺伝子タイプ情報、発現頻度情報、二者択一情報、Ｑ＆Ａ情報、およびサプリメント情報を含む画像を生成する。表示部１１２は、たとえば、ＨＴＭＬによるフォーム形式でユーザ端末２に生成した画像を送信することができる。
【００２８】
図８は、管理サーバ１により実行される処理について説明する図である。この処理は、例えばユーザ端末２においてユーザが自らの遺伝子検査結果と健康管理情報を画面に表示させる要求をした場合に開始される。また、図９ないし図１４は、ユーザ端末２において提示（表示）される画面例を示す図である。
【００２９】
属性分類部１１１は、遺伝子タイプ情報記憶部１５１に含まれるユーザの遺伝子タイプ情報を参照して、ユーザの属性を分類する（Ｓ２０１）。本実施形態では、属性分類部１１１は、例えば属性を分類するための属性テーブルを用いて、ユーザの属性を分類する。例えば、属性分類部１１１は、ユーザの遺伝子タイプが、「糖質内臓脂肪」はＡＡ、「脂肪の熱変換」はＡＡ、「脂肪分解・たんぱく質合成」はＣＣである場合、ユーザの属性を低リスクタイプ（属性１）に分類する。
【００３０】
表示部１１２は、オブジェクト情報記憶部１５３を参照してステップＳ２０１で分類されたユーザの属性に対応するオブジェクト画像を取得し、遺伝子検査結果としての「オブジェクト」を提示するためのオブジェクト領域に適用する（Ｓ２０２）。図９は、オブジェクト領域に表示される画面の一例を示す図である。同図では、脂肪リスクタイプ（属性３）に対応するオブジェクトとコメントが示されている。
【００３１】
表示部１１２は、ステップＳ２０１の分類に用いられたユーザの遺伝子タイプを示す画像を生成して、遺伝子検査結果としての「遺伝子タイプ」を提示するための遺伝子タイプ領域に適用する（Ｓ２０３）。表示部１１２は、ユーザの「糖質内臓脂肪」の遺伝子タイプを遺伝子タイプ領域の第一領域に適用し、ユーザの「脂肪の熱変換」の遺伝子タイプを遺伝子タイプ領域の第二領域に適用し、ユーザの「脂肪分解・たんぱく質合成」の遺伝子タイプを遺伝子タイプ領域の第三領域に適用する。図１０は、遺伝子タイプ領域の第一領域に表示される画面の一例を示す図である。同図では、ユーザの「糖質内臓脂肪」の遺伝子タイプがＡＡであることが示されている。なお、この画面において、ユーザから上下または左右に画面をスクロールする操作指示があった場合、遺伝子タイプ領域の第二領域および第三領域が示される。
【００３２】
表示部１１２は、発現頻度情報記憶部１５２に含まれる発現頻度情報を取得し、当該取得した発現頻度情報とステップＳ２０１の分類に用いられたユーザの遺伝子タイプを示す画像を生成して、遺伝子検査結果としての「発現頻度」と「遺伝子タイプ」を提示するための発現頻度領域に適用する（Ｓ２０４）。表示部１１２は、「糖質内臓脂肪」の発現頻度とユーザの遺伝子タイプを示す画像を発現頻度領域の第一領域に適用し、「脂肪の熱変換」の発現頻度とユーザの遺伝子タイプを示す画像を発現頻度領域の第二領域に適用し、「脂肪分解・たんぱく質合成」の発現頻度とユーザの遺伝子タイプを示す画像を発現頻度領域の第三領域に適用する。図１１は、発現頻度領域の第一領域に表示される画面の一例を示す図である。同図では、「糖質内臓脂肪」の遺伝子に関して、ユーザの遺伝子タイプがＡＡであることや、他の遺伝子タイプを含む全ての遺伝子タイプ（ＡＡ、ＡＧ、ＧＧ）それぞれの発現頻度の割合（％）がグラフで示されている。すなわち、この画面により、ユーザは自分の遺伝子タイプが全体（全ユーザ）の中でどの程度の割合を占めているのかが理解できる。なお、この画面において、ユーザから上下または左右に画面をスクロールする操作指示があった場合、発現頻度領域の第二領域および第三領域が示される。
【００３３】
表示部１１２は、二者択一情報記憶部１５４を参照してステップＳ２０１で分類されたユーザの属性に対応する一又は複数の二者択一画像を取得し、健康管理情報としての「推奨行動」を提示するための二者択一領域に適用する（Ｓ２０５）。図１２は、二者択一領域に表示される画面の一例を示す図である。同図では、脂肪リスクタイプ（属性３）に応じた二者択一画像として、サーロインに「×」、ヒレに「○」が付けられた二者択一と脂肪リスクに関するコメントが示されている。なお、適用された二者択一画像が複数存在する場合は、この画面において、ユーザから上下または左右に画面をスクロールする操作指示があると、他の二者択一画像が示される。
【００３４】
表示部１１２は、Ｑ＆Ａ情報記憶部１５５を参照してステップＳ２０１で分類されたユーザの属性に対応する一又は複数のＱ＆Ａ画像を取得し、健康管理情報としての「Ｑ＆Ａ」を提示するためのＱ＆Ａ領域に適用する（Ｓ２０６）。図１３は、Ｑ＆Ａ領域に表示される画面の一例を示す図である。同図では、脂肪リスクタイプ（属性３）に応じたＱ＆Ａ画像が示されている。なお、適用されたＱ＆Ａ画像が複数存在する場合、この画面において、ユーザから上下または左右に画面をスクロールする操作指示があると、他のＱ＆Ａ画像が示される。
【００３５】
表示部１１２は、サプリメント情報記憶部１５６を参照して、ステップＳ２０１で分類されたユーザの属性、および／または生活習慣情報記憶部１５７に含まれる悩みや栄養摂取情報に基づくサプリメント画像を取得し、健康管理情報としての「推奨サプリメント」を提示するためのサプリメント領域に適用する（Ｓ２０７）。本実施形態では、表示部１１２は、ユーザの属性に応じたサプリメントのサプリメント画像をサプリメント領域の第一領域に適用し、ユーザの悩みに応じたサプリメントのサプリメント画像をサプリメント領域の第二領域に適用し、ユーザの不足している栄養素に応じたサプリメントのサプリメント画像をサプリメント領域の第三領域に適用する。図１４は、サプリメント領域の第一領域に表示される画面の一例を示す図である。同図では、低リスクタイプ（属性１）に応じたサプリメント画像が示されている。この画面において、ユーザにより「さらに詳しく」ボタンが押下されると、サプリメントの詳細説明とともに、このサプリメントの購入画面に遷移するボタンを含む画面が示される。なお、この画面において、ユーザから上下または左右に画面をスクロールする操作指示があった場合、サプリメント領域の第二領域および第三領域が示される。
【００３６】
なお、表示部１１２は、サプリメント領域の第一領域ないし第三領域にサプリメント画像を適用する際、同一のサプリメントが重複しないようにする。また、表示部１１２は、サプリメント領域の第一領域ないし第三領域に適用したサプリメント画像に係るサプリメントのうち、同時に摂取すべきではないサプリメントを除外することとしてもよい。
【００３７】
表示部１１２は、ステップＳ２０２ないしステップＳ２０７において各領域（オブジェクト領域、遺伝子タイプ領域、発現頻度領域、二者択一領域、Ｑ＆Ａ領域、およびサプリメント領域）に適用した各画像を、ユーザに提供する遺伝子検査結果および健康管理情報としてユーザ端末２に送信し、当該適用した各画像を含む画面を表示させる（Ｓ２０８）。
【００３８】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００３９】
本実施形態では、管理サーバ１が機能部と記憶部とを両方備えているものとしたが、これに限らず、たとえば、記憶部をデータベースサーバが備えるようにし、管理サーバ１からデータベースサーバにアクセスするようにしてもよい。また、本実施形態では、属性分類部１１１ないし生活習慣情報記憶部１５７は、管理サーバ１に設けられる場合を説明したが、これらの全部又は一部は、ユーザ端末２に設けられてもよい。
【００４０】
本実施形態では、表示部１１２は、ユーザの属性に応じたオブジェクト画像、Ｑ＆Ａ画像、二者択一画像、およびサプリメント画像を各領域に適用することとしたが、ユーザの遺伝子タイプに応じてこれらを各領域に適用してもよい。
【００４１】
本実施形態では、表示部１１２は、遺伝子タイプ領域および発現頻度領域において、ユーザの遺伝子タイプを示すこととしたが、発現頻度領域においてユーザの遺伝子タイプを示している領域を遺伝子タイプ領域としてもよい。
【００４２】
本実施形態では、表示部１１２は、発現頻度領域において、全ての遺伝子タイプそれぞれの発現頻度の割合を示すこととしたが、発現頻度を割合ではなく人数で示すこととしてもよい。
【００４３】
本実施形態では、発現頻度情報には、全ユーザの遺伝子タイプに関する情報（分布と割合）が含まれることとしたが、一部のユーザの遺伝子タイプに関する情報が含まれることとしてもよい。また、発現頻度情報には、統計情報等に基づく値が含まれることとしてもよい。
【００４４】
本実施形態では、二者択一情報として、食品等の摂取に関する推奨行動を例として挙げたが、健康管理に関する推奨行動であればよく、運動や睡眠に関するものでもよい。
【００４５】
本実施形態では、肥満に関する遺伝子検査結果および健康管理情報をユーザに提供することとしたが、肌質、酒酔いやすさ、睡眠、および検診（高血糖、脂質・コレステロール、高血圧、肝機能代謝、痛風など）に関する遺伝子検査結果および健康管理情報を提供することとしてもよい。
【符号の説明】
【００４６】
１      管理サーバ
２      ユーザ端末
３      通信ネットワーク
１１１  属性分類部
１１２  表示部
１５１  遺伝子タイプ情報記憶部
１５２  発現頻度情報記憶部
１５３  オブジェクト情報記憶部
１５４  二者択一情報記憶部
１５５  Ｑ＆Ａ情報記憶部
１５６  サプリメント情報記憶部
１５７  生活習慣情報記憶部
【図１】
2020086926.tif 000003
【図２】
2020086926.tif 000004
【図３】
2020086926.tif 000005
【図４】
2020086926.tif 000006
【図５】
2020086926.tif 000007
【図６】
2020086926.tif 000008
【図７】
2020086926.tif 000009
【図８】
2020086926.tif 000010
【図９】
2020086926.tif 000011
【図１０】
2020086926.tif 000012
【図１１】
2020086926.tif 000013
【図１２】
2020086926.tif 000014
【図１３】
2020086926.tif 000015
【図１４】
2020086926.tif 000016
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
ユーザの遺伝子タイプにより分類された属性に基づいて、ユーザに健康管理情報を提供する健康管理システムであって、
前記分類された属性に対応するオブジェクトを示すオブジェクト領域と、
前記分類に用いられたユーザの遺伝子タイプを示す遺伝子タイプ領域と、
前記ユーザの遺伝子タイプおよび他の遺伝子タイプを含む全ての遺伝子タイプそれぞれの発現頻度を示す発現頻度領域と、
前記分類された属性に応じた推奨行動を二者択一で示す二者択一領域と、
を共通の画面に表示させる表示部、
を備え、
前記表示部は、健康管理に関する質問および回答を示すＱ＆Ａ領域と、前記ユーザに推奨するサプリメントを示すサプリメント領域と、を前記画面に表示させ、
前記Ｑ＆Ａ領域には、前記分類された属性に応じた質問および回答が示され、
前記サプリメント領域には、前記分類された属性に応じたサプリメントが示される、
ことを特徴する健康管理システム。
【請求項２】
前記サプリメント領域には、前記ユーザの生活習慣情報に応じたサプリメントが示される、
ことを特徴する請求項１に記載の健康管理システム。
【請求項３】
前記生活習慣情報には、ユーザ情報に対応付けて、悩み、栄養摂取情報が含まれる、
ことを特徴する請求項２に記載の健康管理システム。
【請求項４】
前記悩みには、前記ユーザが健康に関して悩んでいる項目が含まれ、
前記栄養摂取情報は、前記ユーザが１日に摂取している栄養バランスや栄養素を特定する情報である、
ことを特徴する請求項３に記載の健康管理システム。
【請求項５】
ユーザの遺伝子タイプにより分類された属性に基づいて、ユーザに健康管理情報を提供するプログラムであって、
コンピュータを、
前記分類された属性に対応するオブジェクトを示すオブジェクト領域と、
前記分類に用いられたユーザの遺伝子タイプを示す遺伝子タイプ領域と、
前記ユーザの遺伝子タイプおよび他の遺伝子タイプを含む全ての遺伝子タイプそれぞれの発現頻度を示す発現頻度領域と、
前記分類された属性に応じた推奨行動を二者択一で示す二者択一領域と、
を含む画面を表示させる表示手段、
として機能させ、
前記表示手段は、健康管理に関する質問および回答を示すＱ＆Ａ領域と、前記ユーザに推奨するサプリメントを示すサプリメント領域と、を前記画面に表示させ、
前記Ｑ＆Ａ領域には、前記分類された属性に応じた質問および回答が示され、
前記サプリメント領域には、前記分類された属性に応じたサプリメントが示される、
ことを特徴とするプログラム。